(57)【要約】【課題】個人認証装置の使用を容易にでき、個人認証装置による電力の消費を少なくできる携帯電話機を提供する。【解決手段】折り畳んだ携帯電話機１の外側面１１に設けた個人認証装置１３の表面に指先Ｆを押し付ける。個人認証装置１３に予め登録された指紋情報に、個人認証装置１３の表面に押し付けた指先Ｆの指紋情報が合致するかを指紋認識する。携帯電話機１を開いて操作パネルの入力キーを何度も押して操作することなく、容易に個人認証できる。携帯電話機１の個人認証装置１３の使用を容易にできる。携帯電話機１にメモリなどされた情報のセキュリティ性を容易に向上できる。【選択図】        図１
2005012425.tif 000002
【特許請求の範囲】
【請求項１】
通信手段および可動部を備えた本体部と、
この本体部の可動部の一の所定の状態で、前記本体部の外側に位置し、使用者を認証する個人認証手段と
を具備したことを特徴とした通信装置。
【請求項２】
本体部の可動部が一の所定の状態で、前記本体部の外側に位置する表示手段を具備し、
個人認証手段は、前記表示手段とは異なる位置に設けられている
ことを特徴とした請求項１記載の通信装置。
【請求項３】
本体部の可動部が一の所定の状態で、前記本体部の外側に位置する表示手段を具備し、
個人認証手段は、前記表示手段に設けられている
ことを特徴とした請求項１記載の通信装置。
【請求項４】
通信手段を備えた本体部と、
この本体部に設けられた個人認証手段と、
この個人認証手段に設けられ、この個人認証手段に指を押し当てた際にオンするスイッチとを具備し、
前記個人認証手段は、前記スイッチのオンによりオンして、前記個人認証手段に押し当てた指から個人認証する
ことを特徴とした通信装置。
【請求項５】
個人認証手段は、略長方形状であり、
スイッチは、個人認証手段の対向する二辺に設けられている
ことを特徴とした請求項４記載の通信装置。
【請求項６】
本体部は、可動部を備え、
個人認証手段は、個人認証により使用者と確認できたときにのみ可動部の一の所定の状態を解除可能にする
ことを特徴とした請求項４または５記載の通信装置。
【請求項７】
可動部は、本体部を折り畳み可能にし、
前記可動部の一の所定の状態は、前記本体部を折り畳んだ状態である
ことを特徴とした請求項１ないし６いずれか記載の通信装置。
【請求項８】
可動部は、本体部の所定の部分をカバー可能にし、
前記可動部の一の所定の状態は、前記本体部の所定の部分をカバーした状態である
ことを特徴とした請求項１ないし６いずれか記載の通信装置。
【発明の詳細な説明】
【０００１】
【発明の属する技術分野】
本発明は、通信手段を備えた通信装置に関する。
【０００２】
【従来の技術】
従来、この種の通信装置としての液晶表示器一体型通信装置である携帯電話機は、予め登録された人を確認できる個人認証手段としての個人認証システムを備えていない。このため、この携帯電話機は、情報のセキュリティという観点から問題がある。
【０００３】
また、この種の携帯電話機は、暗証番号の入力によって、ソフト的に使用者を限定できるが、この暗証番号が他人に知られてしまうと、この暗証番号を知った他者に容易に不正に使用されてしまうおそれがあるとともに、この暗証番号をキー操作して入力することが煩雑であるなどの問題がある。
【０００４】
そこで、近年、この種の携帯電話機としては、通信手段を備えた本体部としての筐体の表面に設けられた操作パネルの中央に、個人認証システムである指紋センサが取り付けられている。そして、この指紋センサは、この指紋センサに利き手の親指を押し付けることにより、この親指の指紋を検知して、予め登録された指紋と対比させて個人認証する。さらに、この指紋センサは、個人認証により予め登録された指紋と押し付けられた指紋とが合致した場合に、携帯電話機の通信手段による送受信動作を可能とする構成が知られている（例えば、特許文献１参照。）。
【０００５】
【特許文献１】
特開２００２−３３０２０２号公報（第３−５頁、図１）
【０００６】
【発明が解決しようとする課題】
しかしながら、上述した携帯電話機では、この携帯電話機の操作パネルの中央部に指紋センサが設けられている。このため、この携帯電話機が折り畳み可能な折り畳み式の携帯電話機である場合には、この携帯電話機を折り畳んだ状態を解除させて開いた状態にしなければ、この携帯電話機の操作パネルを操作できないように構成されている。したがって、この操作パネルの中央部に設けられた指紋センサの使用が容易ではない。
【０００７】
また、この携帯電話機の操作パネルが平板状のカバー体によりカバー可能な場合には、この携帯電話機のカバーをスライドなどさせて、操作パネルを露出させて操作可能な状態にしなければ、この携帯電話機の操作パネルを操作できないから、この操作パネルに設けられた指紋センサの使用が容易ではない。
【０００８】
さらに、この携帯電話機は、この携帯電話機の電源をオンしている状態においては、常時、この携帯電話機の指紋センサがオンしており、この指紋センサによって個人認証ができるように構成されている。このため、この携帯電話機にて送受信動作などをしない場合であっても、この携帯電話機の指紋センサによる電力の消費が多いという問題を有している。
【０００９】
本発明は、このような点に鑑みなされたもので、個人認証手段の使用を容易にでき、この個人認証手段による電力の消費を少なくできる通信装置を提供することを目的とする。
【００１０】
【課題を解決するための手段】
本発明は、通信手段および可動部を備えた本体部と、この本体部の可動部の一の所定の状態で、前記本体部の外側に位置し、使用者を認証する個人認証手段とを具備したものである。
【００１１】
そして、本体部の可動部の一の所定の状態を解除することなく、個人認証手段にて使用者を認証できるため、この個人認証手段の使用を容易にできる。
【００１２】
また、本発明は、通信手段を備えた本体部と、この本体部に設けられた個人認証手段と、この個人認証手段に設けられ、この個人認証手段に指を押し当てた際にオンするスイッチとを具備し、前記個人認証手段は、前記スイッチのオンによりオンして、前記個人認証手段に押し当てた指から個人認証するものである。
【００１３】
そして、本体部の個人認証手段に指を押し当てることによりスイッチがオンし、このスイッチのオンにより個人認証手段がオンして、この個人認証手段に押し当てた指を個人認証する。このため、この個人認証手段による電力の消費を少なくできる。
【００１４】
【発明の実施の形態】
以下、本発明の通信装置の第１の実施の形態の構成を図１および図２を参照して説明する。
【００１５】
図１および図２において、１は液晶表示器一体型通信装置としての携帯電話機で、この携帯電話機１は、略細長矩形平板状の本体部としての通信装置本体である筐体２を備えている。この筐体２の内部には、送受信動作を可能とする通信手段としての通信装置である図示しない通信機が取り付けられている。
【００１６】
そして、この筐体２の長手方向に沿った中央部には、折り畳み部としての可動部である回動部３が設けられている。この回動部３は、筐体２を幅方向に沿って折り畳み可能にする。すなわち、この筐体２は、回動部３を介して長手方向に沿って２つ折りにできるように構成されている。
【００１７】
そして、この筐体２の回動部３の一の所定の状態、すなわちこの筐体２を折り畳んだ状態の際に、この筐体２の互いに向かい合って接触する側の一主面である内側面には、図２に示すように、第１の表示手段としての液晶表示器である略長方形状のメインディスプレイ４が一体的に取り付けられている。このメインディスプレイ４は、筐体２の内側面の長手方向に沿った一端側、すなわち回動部３よりも上側の平面部５の中央部に設けられている。そして、このメインディスプレイ４は、所定の画像を表示する表示部分である。
【００１８】
また、筐体２の内側面の長手方向に沿った他端側、すなわち回動部３よりも下側の平面部６には、操作手段としての操作パネル７が取り付けられている。この操作パネル７は、この操作パネル７のキー操作により通信機による送受信動作を可能とする。
【００１９】
一方、筐体２の内側面の反対側に位置する常時外側を向いた部位である外側としての外側面１１には、図１に示すように、第２の表示手段としての略長方形状のサブディスプレイ１２が取り付けられている。ここで、筐体２の外側面１１は、この筐体２を折り畳んだ状態のときに、常時外側を向いた部位である。また、サブディスプレイ１２は、メインディスプレイ４が設けられた平面部５の反対側に設けられている。すなわち、このサブディスプレイ１２は、筐体２の長手方向に沿った一端側、すなわち回動部３よりも上側の外側面１１に設けられている。また、このサブディスプレイ１２は、メインディスプレイ４にて表示される画像とは異なる所定の画像を表示する表示部分である。
【００２０】
さらに、筐体２の上側の外側面１１には、略長方形平板状の個人認証手段としての個人認証システムである個人認証装置１３が取り付けられている。この個人認証装置１３は、予め登録された人である使用者の所定の部位としての指先Ｆの指紋情報が、この個人認証装置１３の表面に押し当てた指先Ｆから検知される指紋情報と合致するか否かについて個人認証する。そして、この個人認証装置１３は、この個人認証装置１３の表面に押し付けられた指先Ｆの指紋情報が、登録された指紋情報に合致すると判断した場合に、図示しない制御手段としての制御装置により制御されて、操作パネル７のキー操作を操作可能にする。
【００２１】
また、この個人認証装置１３は、筐体２の外側面１１におけるサブディスプレイ１２上以外の位置に設けられている。言い換えると、この個人認証装置１３は、サブディスプレイ１２が設けられた位置とは異なる位置、すなわち筐体２の上側の外側面１１におけるサブディスプレイ１２の下側に設けられている。さらに、この個人認証装置１３は、筐体２の外側面１１の幅方向に沿った中央部に設けられている。また、この個人認証装置１３は、使用者の指先Ｆの指紋が検知できる程度の大きさを有している。
【００２２】
次に、上記第１の実施の形態の作用を説明する。
【００２３】
まず、携帯電話機１の操作パネル７のキー操作ができないように設定され、この携帯電話機１が折り畳まれた状態で、この携帯電話機１を使用する場合には、この携帯電話機１の個人認証装置１３の表面に指先Ｆを押し付ける。
【００２４】
すると、この個人認証装置１３によって、この個人認証装置１３の表面に押し付けられた指先Ｆの指紋情報が検知されて、この指紋情報が予め登録された指紋情報に合致するか否かについて個人認識、すなわち指紋認識される。
【００２５】
そして、この個人認証装置１３によって、この個人認証装置１３の表面に押し付けた指先Ｆの指紋情報が、予め登録された指紋情報に合致すると判断された場合には、制御装置によって操作パネル７のキー操作が操作可能となる。
【００２６】
これに対し、この個人認証装置１３によって、この個人認証装置１３の表面に押し付けた指先Ｆの指紋情報が、予め登録された指紋情報に合致しないと判断された場合には、操作パネル７のキー操作の設定が解除されず保持される。
【００２７】
上述したように、上記第１の実施の形態によれば、折り畳んだ状態の携帯電話機１を開くなどの操作をすることなく、この携帯電話機１の外側面１１に設けられた個人認証装置１３の表面に指先Ｆを押し付けるだけで、この個人認証装置１３に予め登録された指紋情報に、この個人認証装置１３の表面に押し付けられた指先Ｆの指紋情報が合致するかを指紋認識できる。
【００２８】
この結果、いわゆる折り畳み式の携帯電話機１であっても、この携帯電話機１を開いて操作パネル７の入力キーを何度も押して操作することなく、容易に個人認証ができるとともに、この携帯電話機１の個人認証装置１３の使用を容易にできる。したがって、この携帯電話機１にメモリなどされた情報の安全性、すなわちセキュリティ性を容易に向上できる。
【００２９】
なお、上記第１の実施の形態では、携帯電話機１の外側面１１におけるサブディスプレイ１２の下側に個人認証装置１３を取り付けたが、図３に示す第２の実施の形態のように、この個人認証装置１３をサブディスプレイ１２上に位置させて取り付けて、これらサブディスプレイ１２と個人認証装置１３とを兼用させても、上記第１の実施の形態と同様の作用効果を奏することができる。
【００３０】
このとき、この個人認証装置１３を取り付けるためのスペースを、サブディスプレイ１２のスペースとは別個に携帯電話機１の外側面１１上に確保する必要がなくなる。このため、この携帯電話機１の外側面１１に取り付けられる他の部材、例えばデジタルカメラなどのカメラ２１を取り付けるためのスペースが個人認証装置１３によって取られることが無くなる。よって、この携帯電話機１を設計する上での自由度を向上できる。
【００３１】
次に、本発明の第３の実施の形態を図４ないし図７を参照して説明する。
【００３２】
この図４ないし図７に示す携帯電話機１は、基本的には図３に示す携帯電話機１と同様であるが、サブディスプレイ１２に兼用された個人認証装置１３の対向する二辺のそれぞれにスイッチ２２が取り付けられたものである。すなわち、これらスイッチ２２は、個人認証装置１３の表面に指先Ｆを押し付ける際に、この指先Ｆが接触する位置に設けられている。
【００３３】
そして、これらスイッチ２２それぞれは、個人認証装置１３の長手方向に沿った上端縁および下端縁に略等しい長さ寸法を有する細長帯状に形成されている。さらに、これらスイッチ２２は、個人認証装置１３の上側縁および下側縁のそれぞれに、これら上側縁および下側縁のそれぞれに沿って取り付けられている。すなわち、これらスイッチ２２は、個人認証装置１３の表面に指先Ｆを押し付けた際に、この指先Ｆがそれぞれのスイッチ２２に接触して、図６に示すように、このスイッチ２２の裏面側に位置する端子２３間が通電するようにオンする。
【００３４】
また、これらスイッチ２２は、個人認証装置１３の表面に指先Ｆを押し当てた際による端子２３間の通電によってオンし、これらスイッチ２２のそれぞれを同時に押してオンさせた際にのみ、個人認証装置１３を起動させて作動させ、この個人認証装置１３による指紋認証をオンさせる。そして、この個人認証装置１３は、各スイッチ２２それぞれのオンによりオンされる前は節電状態である待ち受け状態とされている。さらに、この個人認証装置１３は、各スイッチ２２それぞれのオンにてオンして、この個人認証装置１３の表面に押し当てられた指先Ｆの指紋情報を指紋認証する。
【００３５】
一方、筐体２の平面部５，６間には、この筐体２を回動部３にて折り畳んだ状態を機械的に解錠可能に施錠する施錠手段としての図示しないロック機構が設けられている。このロック機構の施錠および解錠は制御装置により制御されている。そして、このロック機構は、個人認証装置１３の表面に押し付けて検知された指紋情報が、この個人認証装置１３に予め登録した指紋情報に合致した場合にのみ制御装置により制御されて解錠される。言い換えると、このロック機構は、個人認証装置１３による個人認証によって、予め登録された人と確認できたときにのみ、筐体２の折り畳み状態を解除可能にする。
【００３６】
次に、上記第３の実施の形態の作用を図７を参照して説明する。
【００３７】
まず、携帯電話機１を折り畳んだ状態で、この携帯電話機１の待ち受け状態にある個人認証装置１３の表面に指先Ｆを押し付ける（ステップ１）。
【００３８】
このとき、この個人認証装置１３の表面に指先Ｆを押し付けた際に、この指先Ｆによって各スイッチ２２のそれぞれが同時に押し付けられる（ステップ２）と、これら各スイッチ２２のそれぞれがオンして、各端子２３間を通電可能とする（ステップ３）。
【００３９】
すると、これら各スイッチ２２のオンによって個人認証装置１３が起動されて、この個人認証装置１３の待ち受け状態が解除されて、この個人認証装置１３による指紋認証がオンされて開始される（ステップ４）。
【００４０】
そして、この個人認証装置１３によって、この個人認証装置１３の表面に押し付けた指先Ｆの指紋情報が、予め登録された指紋情報に合致すると判断された場合には、制御装置によってロック機構による施錠が解錠され、このロック機構による筐体２の折り畳んだ状態が解除可能となる（ステップ５）。
【００４１】
これに対し、この個人認証装置１３によって、この個人認証装置１３の表面に押し付けた指先Ｆの指紋情報が、予め登録された指紋情報に合致しないと判断された場合には、ロック機構による施錠が解錠されず、このロック機構による筐体２の折り畳んだ状態が保持される（ステップ６）。
【００４２】
上述したように、上記第３の実施の形態によれば、携帯電話機１の外側面１１の個人認証装置１３の表面に指先Ｆを押し付けるだけで、この個人認証装置１３に予め登録された指紋情報に、この個人認証装置１３の表面に押し付けられた指先Ｆの指紋情報が合致するかを指紋認識できる。したがって、上記第２の実施の形態と同様の作用効果を奏することができる。
【００４３】
さらに、個人認証装置１３の表面に指先Ｆを押し当てる際に、この指先Ｆをそれぞれのスイッチ２２に触れさせなければ、個人認証装置１３が起動せず、この個人認証装置１３による指紋認証が開始されない。このため、この個人認証装置１３の表面に指先Ｆを押し当てる際の、この指先Ｆの位置を規制できるとともに、この指先Ｆによる個人認証装置１３の表面への押し当て圧を特定できる。
【００４４】
したがって、この個人認証装置１３の表面への指先Ｆの押し当て位置および押し当て圧をより特定できるので、この個人認証装置１３の表面への指先Ｆの接触面積および押し当て位置それぞれのばらつきを少なくできる。この結果、この個人認証装置１３による指紋認証をより正確にできるとともに、この個人認証装置１３による指紋認証の制御をより容易にできる。
【００４５】
また、個人認証装置１３の表面に指先Ｆを押し当てて、各スイッチ２２をオンさせた際にのみ、この個人認証装置１３の待ち受け状態が解除され、この個人認証装置１３による指紋認証が開始される構成とした。この結果、この個人認証装置１３により指紋認証をする場合以外での、この個人認証装置１３により消費される電力を削減できる。よって、この個人認証装置１３による電力の消費を少なくできる。
【００４６】
さらに、この個人認証装置１３の表面に押し付けた指先Ｆの指紋情報が、予め登録された指紋情報に合致すると個人認証装置１３によって判断された場合にのみ、ロック機構による施錠が解錠され、このロック機構による筐体２の折り畳んだ状態が解除可能となる。このため、このロック機構を解除させて筐体２を開かなければ、この筐体２の操作パネル７をキー操作できないので、この携帯電話機１にメモリなどされた情報のセキュリティ性を機械的な手段によって、より確実かつ容易に向上できる。
【００４７】
なお、上記第３の実施の形態では、個人認証装置１３の対向する二辺、すなわちこの個人認証装置１３の上側縁および下側縁のそれぞれにスイッチ２２を取り付けたが、この個人認証装置１３の外周縁のいずれかの位置に離間させて二つ以上のスイッチ２２を取り付けても、上記第３の実施の形態と同様の作用効果を奏することができる。
【００４８】
また、上記各実施の形態では、表面に押し当てられた指先Ｆの指紋による指紋認証により個人認証する個人認証装置１３としたが、表面に押し当てられた指先Ｆの形状により個人認証する個人認証装置１３であっても対応させて用いることができる。
【００４９】
さらに、折り畳み式の携帯電話機１について説明したが、所定の部分、例えば操作パネル７が設けられた部分が図示しないカバー体により開閉可能にカバーされた携帯電話機１などであってもよい。この場合、カバー体の一の所定の状態、すなわちこのカバー体により操作パネル７が設けられた部分がカバーされた状態で、筐体２の外側に個人認証装置１３を取り付けることによって、上記各実施の形態と同様の作用効果を奏することができる。
【００５０】
【発明の効果】
本発明によれば、本体部の可動部の一の所定の状態を解除することなく、個人認証手段にて使用者を認証できるため、この個人認証手段の使用を容易にできる。
【００５１】
また、本体部の個人認証手段への指の押し当てによりスイッチがオンし、このスイッチのオンにより個人認証手段がオンして、この個人認証手段に押し当てた指を個人認証するため、この個人認証手段による電力の消費を少なくできる。
【図面の簡単な説明】
【図１】本発明の通信装置の第１の実施の形態を示す説明斜視図である。
【図２】同上通信装置を開いた状態を示す説明斜視図である。
【図３】本発明の第２の実施の形態の通信装置を示す説明斜視図である。
【図４】本発明の第３の実施の形態の通信装置を示す説明斜視図である。
【図５】同上通信装置のスイッチの構成を示す説明斜視図である。
【図６】同上通信装置の個人認証手段に指を押し当てた状態を示す説明斜視図である。
【図７】同上通信装置の個人認証手段の作用を示す説明図である。
【符号の説明】
１    通信装置としての携帯電話機
２    本体部としての筐体
３    可動部としての回動部
１１    外側としての外側面
１２    表示手段としてのサブディスプレイ
１３    個人認証手段としての個人認証装置
２２    スイッチ
【図１】
2005012425.tif 000003
【図２】
2005012425.tif 000004
【図３】
2005012425.tif 000005
【図４】
2005012425.tif 000006
【図５】
2005012425.tif 000007
【図６】
2005012425.tif 000008
【図７】
2005012425.tif 000009